(57)【要約】【課題】動力を使用しないで、簡単な構造でロールベールを持ち上げて運搬する。【解決手段】持上運搬装置は、先端部に保持部２を、後端部に取っ手部３を、中間の下方に車輪４を配設しているフレーム１を備え、車輪４の車軸６を中心として、取っ手部３と保持部２とを上下に傾動される。保持部２は、ロールベール３０を保持部２に出し入れさせる保持アーム７を開口部に傾動できるように設けている。保持アーム７は、抱込アーム７Ａと排出アーム７Ｂとを備え、駆動部材８を介してレバー９で駆動される。持上運搬装置は、抱込アーム７Ａを保持部２の内側方向に傾動させて、ロールベール３０を保持部２に取り込み、ロールベール３０を保持する状態で車輪４で移動し、取っ手部３を降下させてロールベール３０を持ち上げ、レバー９を駆動して、排出アーム７Ｂを保持部２の内側から外側方向に傾動させて、保持部２のロールベール３０を排出する。【選択図】図１
2005247071.tif 000002
【特許請求の範囲】
【請求項１】
先端部にロールベール(30)を保持する保持部(2)を有し、後端部に手で握ることができる取っ手部(3)を有し、取っ手部(3)と保持部(2)との中間に移動用の車輪(4)を設けているフレーム(1)を備えるロールベールの持上運搬装置であって、
フレーム(1)は、取っ手部(3)と保持部(2)の両方を地面から浮かせる状態で移動できるように、取っ手部(3)と保持部(2)とを通過する水平ラインよりも下方に車輪(4)を配設しており、さらに、車輪(4)はフレーム(1)の両側に平行な姿勢で設けられて、車輪(4)の車軸(6)を中心としてフレーム(1)は取っ手部(3)と保持部(2)とをバランスさせて上下に傾動できるようにしており、
さらに、保持部(2)は前方又は下方を開口すると共に、ロールベール(30)を保持部(2)に出し入れさせる保持アーム(7)を開口部に傾動できるように設けており、この保持アーム(7)は駆動部材(8)を介して取っ手部(3)側に設けているレバー(9)に連結して、レバー(9)で駆動されるようにしており、
保持アーム(7)は、ロールベール(30)を外部から保持部(2)に取り込む抱込アーム(7A)と、保持部(2)のロールベール(30)を外部に排出する排出アーム(7B)とを備えており、抱込アーム(7A)が排出アーム(7B)の前方に位置するように、抱込アーム(7A)と排出アーム(7B)の間をフレーム(1)に傾動できるように連結しており、
抱込アーム(7A)と排出アーム(7B)の間にロールベール(30)を挿入する状態で、抱込アーム(7A)を保持部(2)の内側方向に傾動させて、ロールベール(30)を保持部(2)に取り込み、保持部(2)でロールベール(30)を保持する状態で車輪(4)で移動し、かつ取っ手部(3)を降下させて保持部(2)を上昇させてロールベール(30)を持ち上げ、レバー(9)を駆動して、排出アーム(7B)を保持部(2)の内側から外側方向に傾動させて、保持部(2)のロールベール(30)を排出するようにしてなるロールベールの持上運搬装置。
【請求項２】
抱込アーム(7A)の先端にコロ(16)を設けている請求項１に記載されるロールベールの持上運搬装置。
【請求項３】
排出アーム(7B)の先端にコロ(16)を設けている請求項１に記載されるロールベールの持上運搬装置。
【請求項４】
保持アーム(7)の全体形状がく字状で、中間の折曲部をフレーム(1)に傾動できるように連結している請求項１に記載されるロールベールの持上運搬装置。
【請求項５】
レバー(9)にバネを連結しており、このバネが、保持アーム(7)がロールベール(30)を保持部(2)に引き込む位置にレバー(9)を保持する請求項１に記載されるロールベールの持上運搬装置。
【請求項６】
車輪(4)から取っ手部(3)までの距離が、車輪(4)から保持部(2)までよりも長い請求項１に記載されるロールベールの持上運搬装置。
【発明の詳細な説明】
【技術分野】
【０００１】
本発明は、牧草をロール状に加工したロールベールを運搬することに加えて、これを持ち上げてトラック等に搭載するのに便利なロールベールの持上運搬装置に関する。
【背景技術】
【０００２】
牧草をロール状に加工したロールベールは、小さいものであっても１０ｋｇ〜３０ｋｇの重量がある。このように重いロールベールを積み下ろし又は運搬するための装置は開発されている（特許文献１及び２参照）。
【特許文献１】特開２００３−２００７７５号公報
【特許文献２】特開２００３−２１０８号公報
【発明の開示】
【発明が解決しようとする課題】
【０００３】
特許文献１には、ロールベールを積み下ろしする装置が記載される。この装置は、キャタピラー（登録商標）で移動するラッピングマシンの機体に、ロールベールの積み込みアームを設けている。積み込みアームは、支点軸を連結して、略直立な姿勢から略水平な姿勢となる間を傾動できるようにしている。積み込みアームの先端側には、ロールベールの周面を前方から抱える把持部材を設け、基端側には、ロールベールの周面を後方から抱える把持部材を設け、中間部位には立て降ろしユニットを設けている。
【０００４】
また、引用文献２には、ロールベーラから排出されるロールベールを湿田に落とさずに受け取って積載し、圃場に排出されたロールベールを拾い上げて積載し、トラックとの間でのロールベール の移動を簡便に行うことができるロールベールの運搬車を記載している。このロールベールの運搬車は、上下に移動して傾動する受け部でロールベールを下から受け取り、これを上昇させてロールベールの定位置に保持して運送する。
【０００５】
これ等の公報に記載されるロールベールの持上運搬装置は、ロールベールを積み下ろし、あるいは所定の位置に保持して輸送できるが、全体の構造が極めて複雑であるために相当に高価な装置となる。
【０００６】
以上の装置のような複雑で高価な装置ではなく、たとえば、小さいロールベールを放牧地や農家内で運搬でき、また、ロールベールをトラック等に楽に搭載できる持上運搬装置が開発されると極めて便利に使用できる。本発明は、このことを実現することを目的に開発されたものである。本発明の重要な目的は、極めて簡単な構造で安価に製造できると共に、動力を使用しないでロールベールを持ち上げてトラック等に搭載し、あるいはロールベールを持ち上げて運搬することもできるロールベールの持上運搬装置を提供することにある。
また本発明の他の大切な目的は、大型の装置を搬入できない不便な場所においても使用でき、さらに労力を要することなく便利に使用できるロールベールの持上運搬装置を提供することにある。
【課題を解決するための手段】
【０００７】
本発明のロールベールの持上運搬装置は、先端部にロールベール３０を保持する保持部２を有すると共に、後端部に手で握ることができる取っ手部３を有し、取っ手部３と保持部２との中間に移動用の車輪４を設けているフレーム１を備えている。フレーム１は、取っ手部３と保持部２の両方を地面から浮かせる状態で移動できるように、取っ手部３と保持部２とを通過する水平ラインよりも下方に車輪４を配設している。車輪４は、フレーム１の両側に平行な姿勢で設けている。フレーム１は、車輪４の車軸６を中心として、取っ手部３と保持部２とをバランスさせて上下に傾動できるようにしている。保持部２は、前方又は下方を開口すると共に、ロールベール３０を保持部２に出し入れさせる保持アーム７を開口部に傾動できるように設けている。この保持アーム７は、駆動部材８を介して取っ手部３側に設けているレバー９に連結して、レバー９で駆動されるようにしている。保持アーム７は、ロールベール３０を外部から保持部２に取り込む抱込アーム７Ａと、保持部２のロールベール３０を外部に排出する排出アーム７Ｂとを備えている。保持アーム７は、抱込アーム７Ａが排出アーム７Ｂの前方に位置するように、抱込アーム７Ａと排出アーム７Ｂの間をフレーム１に傾動できるように連結している。この持上運搬装置は、抱込アーム７Ａと排出アーム７Ｂの間にロールベール３０を挿入する状態で、抱込アーム７Ａを保持部２の内側方向に傾動させて、ロールベール３０を保持部２に取り込み、保持部２でロールベール３０を保持する状態で車輪４で移動し、かつ取っ手部３を降下させて保持部２を上昇させてロールベール３０を持ち上げ、レバー９を駆動して、排出アーム７Ｂを保持部２の内側から外側方向に傾動させて、保持部２のロールベール３０を排出する。
【０００８】
本発明のロールベールの持上運搬装置は、抱込アーム７Ａの先端にコロ１６を設けることができる。本発明のロールベールの持上運搬装置は、排出アーム７Ｂの先端にコロ１６を設けることができる。本発明のロールベールの持上運搬装置は、保持アーム７の全体形状をく字状として、中間の折曲部をフレーム１に傾動できるように連結することができる。さらに、本発明のロールベールの持上運搬装置は、レバー９にバネを連結して、保持アーム７がロールベール３０を保持部２に引き込む位置にレバー９をバネで保持することができる。さらにまた、本発明のロールベールの持上運搬装置は、車輪４から取っ手部３までの距離を、車輪４から保持部２までよりも長くすることができる。
【発明の効果】
【０００９】
本発明のロールベールの持上運搬装置は、極めて簡単な構造で安価に製造できると共に、動力を使用しないでロールベールを持ち上げてトラック等に搭載し、あるいはロールベールを持ち上げて運搬することができる。それは、本発明の持上運搬装置が、先端部に保持部を、後端部に取っ手部を設けているフレームの中間の下方に車輪を配設すると共に、保持部にロールベールを出し入れさせる保持アームを傾動できるように設けて、この保持アームをレバーで駆動するようにしているからである。保持アームは、ロールベールを保持部に取り込む抱込アームと、保持部のロールベールを排出する排出アームとを備えており、抱込アームと排出アームの間をフレームに傾動できるように連結している。したがって、この持上運搬装置は、抱込アームと排出アームの間にロールベールを挿入する状態で、抱込アームを保持部の内側方向に傾動させて、ロールベールを保持部に取り込み、また、レバーを駆動して、排出アームを保持部の内側から外側方向に傾動させて、保持部のロールベールを排出できる。さらに、保持部でロールベールを保持する状態で、車輪の車軸を中心として取っ手部と保持部とをバランスできるので、ロールベールを楽に持ち上げてトラック等に搭載し、あるいはロールベールを持ち上げて運搬できる。
【００１０】
さらに、本発明のロールベールの持上運搬装置は、作業者が人力で操作してロールベールを持ち上げ、また運搬できるので、大型の装置を搬入できない不便な場所においても便利に使用できる特長がある。とくに、持上運搬装置のフレームは、車輪の車軸を中心として、取っ手部と保持部とをバランスさせて上下に傾動できるようにしているので、テコの原理により、労力を要することなくロールベールを楽に持ち上げてトラック等に搭載できる。
【発明を実施するための最良の形態】
【００１１】
以下、本発明の実施例を図面に基づいて説明する。ただし、以下に示す実施例は、本発明の技術思想を具体化するためのロールベールの持上運搬装置を例示するものであって、本発明は持上運搬装置を以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
本発明のロールベールの持上運搬装置を、図１ないし図９に示す。図１は持上運搬装置の斜視図を、図２は側面図を、図３は平面図をそれぞれ示している。さらに、図４ないし図９は、本発明の持上運搬装置がロールベールを持ち上げて、トラックの荷台に搭載する工程を示している。これらの図に示すロールベールの持上運搬装置は、先端部にロールベール３０を保持する保持部２を、後端部に手で握ることができる取っ手部３を有し、取っ手部３と保持部２との中間に移動用の車輪４を設けているフレーム１を備える。
【００１４】
フレーム１は、図２に示すように、取っ手部３と保持部２の両方を地面から浮かせる状態で移動できるように、取っ手部３と保持部２とを通過する水平ラインよりも下方に車輪４を配設している。図のフレーム１は、く字状に折曲している２本の金属パイプ１０を平行に配設して、中間の折曲部に車輪４を連結している。すなわち、車輪４を連結している中間部分から、先端に向かって上り勾配に傾斜して先端に保持部２を連結している。また、中間部分から後端に向かっても上り勾配に傾斜して、後端部を取っ手部３としている。
【００１５】
さらに、図の持上運搬装置は、中間に車輪枠５に連結している。車輪枠５は、２本の金属パイプ１０を連結すると共に、車輪４をしっかりと金属パイプ１０に連結する。車輪枠５は、縦枠と横枠を四角形に連結したものである。車輪枠５の幅は、２本の金属パイプ１０の間隔よりも広く、縦枠が金属パイプ１０の外側に突出するようにしている。車輪枠５は、溶接やネジ止等の構造で横枠を２本の金属パイプ１０に固定して、両金属パイプ１０を連結している。車輪枠５の縦枠と金属パイプ１０との間には車輪４の車軸６の両端を連結している。この取付構造は、車輪４の車軸６の両側を支持するので、車輪４をしっかりとフレーム１に連結できる。ただし、車輪は、片側を金属パイプに回転できるように連結する、すなわち片側支持の構造とすることもできる。片側支持構造である車輪は、必ずしも車輪枠の縦枠を車輪の外側に設ける必要はなく、車軸を車輪の内側で支持する構造とすることができる。また、車輪は、図示しないが、径を大きくすることもできる。この車輪には、たとえば、自転車の車輪のように、スポークホイールを備える車輪が使用できる。このように、径の大きな車輪を備える持上運搬装置は、軽く移動できる特長がある。
【００１６】
フレーム１は、両側に平行な姿勢で設けられた車輪４の車軸６を中心として、取っ手部３と保持部２とをバランスさせて上下に傾動される。さらに、図に示すフレーム１は、先端の保持部２にロールベール３０を保持した状態で、後端の取っ手部３を押し下げてロールベール３０を持ち上げやすくするために、取っ手部３に重り２２を設けている。図のフレーム１は、両方の取っ手部３に重り２２を固定している。このように、取っ手部３に重り２２を設けるフレーム３は、保持部２のロールベール３０を楽に持ち上げできる。重り２２の重量は、好ましくは、保持部２にロールベール３０を保持する状態と、保持しない状態の両方の状態において、取っ手部３と保持部２とをバランスさせて楽に移送できる重量に設定される。取っ手部３に設ける重り２２は、たとえば、保持部２にロールベール３０を保持しない状態では、重心がフレーム１の取っ手部３側に位置して、保持部２にロールベール３０を保持する状態では、重心がフレーム１の保持部２側に位置するように、その重量と固定位置とを調整する。
【００１７】
さらに、図のフレーム１は、保持部２と金属パイプ１０の後端部とを補強パイプ１１で連結している。補強パイプ１１は、く字状の金属パイプ１０の曲げ強度を向上する。とくに、図７に示すように、先端の保持部２にロールベール３０を保持し、後端の取っ手部３を押し下げてロールベール３０を持ち上げて移送するとき、あるいは図８に示すように、取っ手部３をさらに押し下げて、上昇する保持部２でロールベール３０を持ち上げるときに、金属パイプ１０が曲がるのを有効に防止する。補強パイプ１１は、その後端を、２本の金属パイプ１０を横に連結している横パイプ１２に溶接等の構造で連結し、先端を分岐パイプ１３に溶接等の構造で連結している。分岐パイプ１３は、その両端を保持部２に連結している。
【００１８】
フレーム１は、金属パイプで製作して軽くて強靭な構造にできる。とくに、アルミニウムパイプやマグネシウムパイプを使用して軽く、強靭な構造にできる。ただ、フレームは、必ずしも金属パイプとする必要はない。金属やプラスチック等の細長い棒状のもので製作することもできる。
【００１９】
保持部２は、前方又は下方を開口すると共に、ロールベール３０を保持部２に出し入れさせる保持アーム７を開口部に傾動できるように設けている。図の保持部２は、各々の金属パイプ１０の先端に湾曲パイプ１４を固定している。この湾曲パイプ１４は、上下の両端を互いに連結パイプ１５で連結して、全体を枠形状としている。湾曲パイプ１４は、保持部２に保持するロールベール３０に沿う曲率半径で湾曲している。図の保持部２は、前方と下方の一部を開口して、ロールベール３０をスムーズに保持部２に案内できるようにしている。保持部は、前方のみを開口し、あるいは下方のみを開口して、保持アームによりロールベールを抱え込むようにして内部に入れることもできる。
【００２０】
保持アーム７は、駆動部材８を介して取っ手部３側に設けているレバー９に連結しており、レバー９で駆動される。この保持アーム７は、ロールベール３０を外部から保持部２に抱き込む抱込アーム７Ａと、保持部２のロールベール３０を外部に排出する排出アーム７Ｂとを備えている。抱込アーム７Ａと排出アーム７Ｂは、その先端にコロ１６を設けている。この保持アーム７は、抱込アーム７Ａと排出アーム７Ｂの先端に連結しているコロ１６が、ロールベール３０の両側に位置するように、保持アーム７の中間を湾曲している。保持アーム７は、中間を保持部２に傾動できるように連結している。図の保持アーム７は、１本のロッドで抱込アーム７Ａと排出アーム７Ｂを構成している。ただし、本発明の持上運搬装置は、抱込アームと排出アームを別々の部材で構成して、抱込アームと排出アームをレバーで傾動する構造とすることもできる。
【００２１】
保持アーム７は、抱込アーム７Ａが排出アーム７Ｂの前方に位置するように、抱込アーム７Ａと排出アーム７Ｂの間を、回転軸１７を介して保持部２に傾動できるように連結している。保持アーム７は、回転軸１７が水平でフレーム１の横方向を向く姿勢として、垂直面内で傾動できるように保持部２に連結される。
【００２２】
保持アーム７を傾動させるレバー９は、取っ手部３の近傍に配設している。図の持上運搬装置は、横パイプ１２と補強パイプ１１との連結部分にレバー９を連結している。レバー９は、上端を前後に移動できるように、垂直面内で傾動できるように補強パイプ１１に連結している。レバー９は、図６に示すように取っ手部３を持ち上げてロールベール３０を保持部２に抱き込むときと、図９に示すように、取っ手部３を降下させて、ロールベール３０を保持部２から排出するときに駆動される。したがって、取っ手部３でフレーム１をこれらの位置として、操作できる位置にレバー９を配設する。
【００２３】
レバー９は、先端を傾動できるようにフレーム１に連結している。図に示すレバー９は、回転軸１８を介して補強パイプ１１に連結している。回転軸１８は、水平で横方向を向く姿勢で、レバー９を前後に垂直面内で回動させる。図の持上運搬装置は、一対の対向する姿勢の垂直プレート１９を固定し、この垂直プレート１９の間に、レバー９を垂直面内で回動できるように回転軸１８を介して連結している。回転軸１８は、その両端を垂直プレート１９に固定している。レバー９は、この回転軸１８を回転できるように挿通している。図のレバー９は、中間に引張バネ２０を連結している。引張バネ２０は、レバー９を引っ張って、レバー９を垂直姿勢（図１と図４の位置）と、水平姿勢（図２と図７の位置）に保持する。引張バネ２０は、レバー９の後端を越える位置であって、回転軸１８よりも下方に連結されて、レバー９を図１と図２の位置に停止させる。
【００２４】
図の駆動部材８は、金属製のパイプや型鋼等の金属ロッドで構成されるリンクである。リンクである駆動部材８は、その先端を、保持アーム７に固定している傾動アーム２１の先端に連結すると共に、その後端をレバー９の中間に連結している。保持アーム７は、上方に突出して傾動アーム２１を固定して、この傾動アーム２１の先端に駆動部材８の先端を連結している。このリンク機構は、図６に示すように、レバー９が前方に倒れて水平な姿勢となる状態では、図１０に示すように、抱込アーム７Ａがロールベール３０を保持部２に抱き込みする姿勢となる。また、図９に示すように、レバー９を水平な姿勢から垂直な姿勢とする方向に傾動させると、図１１に示すように、排出アーム７Ｂによりロールベール３０を保持部２から排出する。
【００２５】
ただ、本発明の持上運搬装置は、リンク機構を以上の構造に特定しない。たとえば、図示しないが、傾動アームを図に示す方向から反対に下方に突出して、これに駆動部材であるリンクを連結することもできる。このリンク機構は、レバーを手前に引いて、抱込アームでロールベールを保持部に抱き込み、また、レバーを前方に押して、排出アームでロールベールを保持部から排出する。さらに図示しないが、レバーの中間を傾動できるようにフレームに連結して、下方に突出する突出端に駆動部材であるリンクを連結しても、図に示す持上運搬装置とは反対にレバーを傾動して、ロールベールを保持部に抱き込み、または保持部から排出できる。したがって、本発明は、レバーで保持アームを回動させるリンク機構を図に示す機構には特定しない。レバーを傾動して、保持アームを垂直面内で回動できる全ての機構とすることができる。
【００２６】
さらに、リンク機構は、駆動部材にワイヤー等の線材を使用することもできる。図１２のリンク機構は、保持アーム７とレバー９とを連結する駆動部材８を、２本の線材２３と回動プレート２４と駆動ロッド２５とで構成している。このリンク機構は、レバー９と回動プレート２４とを前後に離した位置に、互いに平行の姿勢となるように配置すると共に、これらを２本の線材２３で連結している。レバー９と回動プレート２４は、中間を回動できるようにフレームに連結すると共に、この連結点２６よりも上方に突出する突出部同士を第１の線材２３Ａで連結し、連結点２６より下方に突出する突出部同士を第２の線材２３Ｂで連結している。さらに、回動プレート２４の上端には、駆動ロッド２５の一端を連結しており、この駆動ロッド２５の他端を保持アーム７に固定した傾動アーム２１に連結している。
【００２７】
この構造のリンク機構は、図の矢印Ａで示すように、レバー９を水平方向に傾動させると、第２の線材２３Ｂが回動プレート２４を水平方向に傾動させて、駆動ロッド２５を矢印Ｂで示す方向に押し出して、ロールベールを抱き込む方向に保持アーム７を傾動させる。また、レバー９を水平方向から垂直方向に傾動させると、第１の線材２３Ａが回動プレート２４を垂直方向に傾動させて、駆動ロッド２５を矢印Ｂで示す方向と反対の方向に引っ張って、ロールベールを排出する方向に保持アーム７を傾動させる。
【００２８】
さらに、この構造のリンク機構は、図１２と図１３に示すように、レバー９を前方に傾動した姿勢に保持するロック機構２７を設けて、ロールベールを保持部２に抱き込んだ状態に保持できる。これらの図に示すロック機構２７は、レバー９の先端部に設けたロックレバー２８にロックピン２９を連結しており、このロックピン２９をガイドプレート３１に開口したロック孔３２に挿通してレバー９を前方位置にロックする構造としている。ガイドプレート３１は、図示しないが、フレームに固定されており、前後に開口したスリット孔３３に沿ってレバー９を移動できるようにしている。ロック孔３２は、図１３に示すように、スリット孔３３の先端の側部に開口している。ただ、ロック機構は、図１４の平面図に示すように、ガイドプレート３１に開口するスリット孔３３の先端をＬ字状に折曲させてロック部３４を設け、このロック部３４にレバー９のロッド部を引っかけてレバー９を前方位置に保持することもできる。さらに、このロック機構は、図示しないが、レバーを弾性体等でロック部の方向に付勢することによって、ロック部に係止したレバーのロック状態が不意に解除されるのを防止できる。
【００２９】
さらに、駆動部材は、図示しないが、ワイヤー等の線材のみで構成することもできる。この持上運搬装置は、保持アームとレバーとを２本の線材で連結して、保持アームをロールベールの抱き込み方向と排出方向とに傾動できる。この構造は、たとえば、レバーの中間を傾動できるようにフレームに連結し、この連結点よりも上方に突出する突出部と下方に突出する突出部とにそれぞれ線材を連結する。第１の線材は、一端を、抱込アームあるいは保持アームに固定している傾動アームの先端に、他端をレバーの上部に連結し、第２の線材は、一端を排出アームに、他端をレバーの下部に連結する。この構造の持上運搬装置は、レバーを前方に押して水平方向に倒すように傾動させると、第２の線材が排出アームを後方に引っ張って保持アームを傾動させて、抱込アームでロールベールを保持部に抱き込みする。反対に、レバーを水平な姿勢から垂直な姿勢とする方向に傾動させると、第１の線材が傾動アームを後方に引っ張って保持アームを傾動させて、排出アームによりロールベールを保持部から排出する。さらに、保持アームを２本の線材で駆動する持上運搬装置は、２本のレバーを設けて、保持アームをロールベールの抱き込み方向に傾動する第２の線材と、保持アームをロールベールの排出方向に傾動する第１の線材とを別々に駆動することもできる。
【００３０】
さらにまた、駆動部材を線材とする持上運搬装置は、保持アームとレバーとを１本の線材で連結して、保持アームをロールベールの抱き込み方向と排出方向とに傾動させることもできる。この構造は、保持アームが常にロールベールの抱き込み方向あるいは排出方向に付勢されるように、弾性体を介して保持アームをフレームに連結する。この持上運搬装置は、たとえば、保持アームを弾性体で常にロールベールの抱き込み方向に付勢する構造として、線材の一端を、保持アームに固定している傾動アームの先端に連結し、他端をレバーの中間に連結する。この持上運搬装置は、レバーを操作しない状態では、弾性体が保持アームをロールベールの抱き込み方向に傾動させる。さらに、レバーを水平な姿勢から垂直な姿勢とする方向に傾動させると、線材が傾動アームを後方に引っ張って保持アームをロールベールの排出方向に傾動させる。また、これとは反対に、保持アームを弾性体で常にロールベールの排出方向に付勢すると共に、保持アームに連結した線材をレバーで引っ張って、保持アームをロールベールの抱き込み方向に傾動させることもできる。
【００３１】
以上の図に示す持上運搬装置は、以下のようにしてロールベール３０を持ち上げてトラック等に搭載し、あるいはロールベール３０を持ち上げて運搬する。
(1)  図４に示すように、保持部２の開口部をロールベール３０に接近させる。持上運搬装置は、ロールベール３０の中心軸がフレーム１に対して横方向となるように、保持部２をロールベール３０に接近させる。この状態で、保持アーム７はロールベール３０の上方に位置する。
(2)  図５に示すように、取っ手部３を持ち上げて、保持アーム７を降下させて、抱込アーム７Ａと排出アーム７Ｂの間にロールベール３０を挿入させる。
(3)  抱込アーム７Ａと排出アーム７Ｂの間にロールベール３０を挿入した状態で、図５の矢印Ａで示すように、持上運搬装置を押し進めながら、ロールベール３０を保持部２の内部に案内するように、フレーム１を傾けて保持部２を下方に押し付ける。このとき、排出アーム７Ｂがロールベール３０によって矢印Ｂで示す方向に押されて保持アーム７が傾動する。
(4)  保持アーム７が、ロールベール３０を抱き込む方向に傾動されると、駆動部材８であるリンクを介してレバー９が、図６の矢印Ａで示す方向に傾動される。傾動されるレバー９は引張バネ２０によって水平方向に付勢されるので、保持アーム７もロールベール３０を抱き込む方向に付勢されて、図６の矢印Ｂで示すように、抱込アーム７Ａがロールベール３０を抱き込む方向に傾動する。
この状態で、抱込アーム７Ａは、保持部２の前面に位置して、ロールベール３０を保持部２に抱き込んだ状態となる。また、水平姿勢となったレバー９は、引張バネ２０に引っ張られてこの位置に停止されるので、保持アーム７も、ロールベール３０を保持部２に抱き込んだ状態に保持される。
(5)  図７に示すように、取っ手部３を降下させて保持部２のロールベール３０を地面から浮かせる。この状態で、取っ手部３で押し、あるいは引っ張って、ロールベール３０を浮かせる状態で移動させる。
(6)  図８に示すように、取っ手部３を降下して、保持部２のロールベール３０を上昇させてトラック等の荷台の上に移動させる。
(7)  図９に示すように、水平姿勢のレバー９を引っ張って垂直姿勢にすると、排出アーム７Ｂがロールベール３０を保持部２から排出して、トラックの荷台等に移動させる。
【００３２】
以上の方法は、ロールベール３０を保持部２に抱き込むときに、レバー９を操作することなく、フレーム１をロールベール３０の方向に押し付けて保持アーム７を保持部２の内側方向に傾動させている。ただ、本発明の持上運搬装置は、抱込アーム７Ａと排出アーム７Ｂの間にロールベール３０を挿入させた状態で、レバー９を前方に倒して、すなわち、レバー９を操作して保持アーム７の抱込アーム７Ａでロールベール３０を保持部２に抱き込むこともできる。
【図面の簡単な説明】
【００３３】
【図１】本発明の一実施例にかかるロールベールの持上運搬装置の斜視図である。
【図２】図１に示す持上運搬装置がロールベールを持ち上げる状態を示す側面図である。
【図３】図２に示す持上運搬装置の平面図である。
【図４】本発明の一実施例にかかる持上運搬装置がロールベールを保持部に保持する工程を示す斜視図である。
【図５】本発明の一実施例にかかる持上運搬装置がロールベールを保持部に保持する工程を示す斜視図である。
【図６】本発明の一実施例にかかる持上運搬装置がロールベールを保持部に保持する工程を示す斜視図である。
【図７】本発明の一実施例にかかる持上運搬装置がロールベールをトラックに搭載する工程を示す斜視図である。
【図８】本発明の一実施例にかかる持上運搬装置がロールベールをトラックに搭載する工程を示す斜視図である。
【図９】本発明の一実施例にかかる持上運搬装置がロールベールをトラックに搭載する工程を示す斜視図である。
【図１０】図６に示す持上運搬装置がロールベールを保持部に保持する状態を示す拡大側面図である。
【図１１】図９に示す持上運搬装置がロールベールを保持部から排出する状態を示す拡大側面図である。
【図１２】本発明の他の実施例にかかる持上運搬装置のリンク機構を示す側面図である。
【図１３】図１２に示す持上運搬装置のロック機構を示す平面図である。
【図１４】ロック機構の他の一例を示す平面図である。
【符号の説明】
【００３４】
１…フレーム
２…保持部
３…取っ手部
４…車輪
５…車輪枠
６…車軸
７…保持アーム          ７Ａ…抱込アーム        ７Ｂ…排出アーム
８…駆動部材
９…レバー
１０…金属パイプ
１１…補強パイプ
１２…横パイプ 
１３…分岐パイプ
１４…湾曲パイプ
１５…連結パイプ
１６…コロ
１７…回転軸
１８…回転軸
１９…垂直プレート
２０…引張バネ
２１…傾動アーム
２２…重り
２３…線材              ２３Ａ…第１の線材      ２３Ｂ…第２の線材
２４…回動プレート
２５…駆動ロッド
２６…連結点
２７…ロック機構
２８…ロックレバー
２９…ロックピン
３０…ロールベール
３１…ガイドプレート
３２…ロック孔
３３…スリット孔
３４…ロック部
【図１】
2005247071.tif 000003
【図２】
2005247071.tif 000004
【図３】
2005247071.tif 000005
【図４】
2005247071.tif 000006
【図５】
2005247071.tif 000007
【図６】
2005247071.tif 000008
【図７】
2005247071.tif 000009
【図８】
2005247071.tif 000010
【図９】
2005247071.tif 000011
【図１０】
2005247071.tif 000012
【図１１】
2005247071.tif 000013
【図１２】
2005247071.tif 000014
【図１３】
2005247071.tif 000015
【図１４】
2005247071.tif 000016